Podtech/llm-jp-corpus-v4-ja_patent huggingface dataset:
(57)【要約】【課題】足腰の衰えを感じウォーキングを始めたいと思うが、なかなか時間がとれず歩けない人のために数分のウォーキングで十分足腰が鍛えられるウォーキングベルトを提供する。【解決手段】膝の上部５ｃｍ程に伸縮ベルトを固定手段により巻きつけて歩き、伸縮ベルトに強弱をつける事で幅広い年齢層にあった足腰の筋力増強をはかるものである。【選択図】図１
2009207860.tif 000002
【特許請求の範囲】
【請求項１】
少なくとも一部が伸縮性ゴムであるベルトの両端を固定手段により固定を有することを特徴とするウォーキングベルト。
【請求項２】
膝の上部に請求項１記載のウォーキングベルトを止めて歩くことを特徴とするウォーキングベルトの使用方法。
【発明の詳細な説明】
【技術分野】
【０００１】この発明は、筋力増強の為の足用ベルトに関する。
さらに詳しくは、伸縮性ゴムの両端を固定し両膝の上に巻きつける物である。
【背景技術】
【０００２】従来足首にウェートを巻いて歩くものはあった。
【特許文献１】特開２００２−１７８２３号公報
【発明の開示】
【発明が解決しようとする課題】
【０００３】これは次のような欠点があった。
ウェートを足首に巻いて歩くので、階段や坂道では取り外して手で提げるのでとても荷物になり歩く範囲が限られる。【０００４】ウェートを足首に巻いて歩くと膝に負荷がかかるのでスポーツ選手とか元気な人に使用が限定される。
【課題を解決するための手段】
【０００５】上記課題を解決するために、本発明者は下記の発明を完成させた。
すなわち本発明は、少なくとも一部が伸縮性ゴムであるベルトの両端を固定手段により固定したウォーキングベルトを膝の上部５ｃｍ程に止めて歩くことを特徴とするウォーキングベルトの使用方法である。
【発明の効果】
【０００６】ウォーキングベルトはとてもコンパクトで軽く、階段や坂道でも簡単に取り外せるのでいつも持参でき、好きな時に巻いて歩く事ができる。【０００７】膝の上５ｃｍ程に巻いて歩く事により膝の負荷を少なくする事ができる。【０００８】伸縮性ゴムに強弱をつける事により、リハビリを行う人から、アスリートの人まで幅広い筋力増強の運動ができる。
【発明を実施するための最良の形態】
【０００９】ウォーキングベルトを巻いて歩行することにより、次の筋力活動が期待できる。
Ａ、前股筋遊脚相から立脚相への移行期に活動しＢ、下腿三頭筋立脚相末期に強く動くＣ、大腿四頭筋立脚相初期に強く動くＤ、ハムストリングス股関節を伸展させる事で骨盤と体幹の前屈に動く重心移動を制限するＥ、股関節外転筋群骨盤を水平に保つＦ、股関節内転群骨盤の制御Ｇ、大殿筋股関節屈曲と回施を制限するＨ、背柱起立筋両相の移行期に強く活動する。特にウォーキングベルトを巻いて歩行するとＣ、Ｄ、Ｅ、Ｇで一層の筋力増強が期待できる。【００１０】伸縮ゴムを膝の上５ｃｍ程に巻き固定手段により両端を止め、歩行する構造であり簡単に取外し可能で人の能力に合わせて使え、手軽に運動できる便利なウォーキングベルトである。【００１１】ウォーキングが足腰に良いとわかっていても時間がとれず諦めていた人も通学通勤の数分ウォーキングベルトを巻いて歩く事で大腿四頭筋、股関節、外転筋、内転筋、大殿筋などの刺激を受けることによりウォーキング人口が殖えることが期待できる。【００１２】ウォーキングベルトが普及する事により、足腰の筋力が増強される人が多くなり腰痛を緩和する人や、股関節の障害で車椅子生活になる人を救える期待がもてる。【００１３】図１は、面ファスナーを使用したウォーキングベルトの形態を斜視図によって全体を見た図である。【００１４】図２は、膝の上５ｃｍ程にウォーキングベルトを落ちないように巻いた様を表した使用例である。【００１５】図３は、ウォーキングベルトを巻いて歩くと伸縮ゴムが伸び縮みする様を表した使用例である。【００１６】図４は、両端を固定手段により固定するための一例として端面を厚肉部にして、バックルなど固定具を止めやすくした上面図である。
【図面の簡単な説明】
【００１７】
【図１】本発明の一実施形態の斜視図。
【図２】本発明の一実施形態の使用正面使用例。
【図３】本発明の一実施形態の使用側面使用例。
【図４】本発明の他の実施形態の上面図。
【符号の説明】
【００１８】１、伸縮性ゴム
２、面ファスナー
３、厚肉部
【図１】
2009207860.tif 000003
【図２】
2009207860.tif 000004
【図３】
2009207860.tif 000005
【図４】
2009207860.tif 000006
(57)【要約】      （修正有）【課題】従来のマスクでは花粉の防止は困難であり、息苦しく、マスクをかけていれば風邪引きと思われ、ほかの人に不快感を与える。【解決手段】人間の鼻は鼻毛と鼻汁により外部よりの花粉、塵芥を防ぐ事が出来る、そこで人工的にゴムチューブ内部に鼻毛を設けそれに粘着溶液を塗布し花粉などを阻止する。【効果】マスクは鼻に花粉が入らないようにするもので花粉の処理は出来ないがこの考案は花粉を吸着してくれる、コンパクトで携帯に便利であり洗い流して、粘着溶液をつけて再利用も可能であり、マスクより目立たない。【選択図】図１
2009207854.tif 000002
【特許請求の範囲】
【請求項１】
ゴムチューブ内部に人口鼻毛をチューブと一体化作製することを特徴とした花粉防止器具
【請求項２】
ゴムチューブ内部に人口鼻毛フイルターブラシを装着することを特徴とした花粉防止器具
【請求項３】
人口鼻毛に鼻汁の代わりをする花粉を吸着する粘着溶液を塗布することを特徴とした請求項１、２記載の花粉防止器具
【発明の詳細な説明】
【技術分野】
【０００１】  本考案は主としてアレルギー性等の花粉症の患者、塵芥の激しい作業者に対して装用され鼻から浸入する大気中の花粉や塵芥等の防止できる携帯用の花粉防止器具。
【背景技術】
【０００２】  在来の花粉防止はマスク等である。
【発明の開示】
【発明が解決しようとする課題】
【０００３】  従来のマスクでは花粉の防止は困難であり、息苦しく、マスクをかけていれば風邪引きと思われ、廻りの人に敬遠され不快感を与える。
【発明が解決しようとする手段】
【０００４】  ゴムチューブ内部に人口鼻毛をチューブと一体化することを特徴とした花粉防止器具ゴムチューブ内部に人口鼻毛フイルターブラシを装着することを特徴とした花粉防止器具人の鼻は鼻毛と鼻汁により外部よりの花粉、塵芥を防ぐ事が出来る、そこで人工的の鼻毛、鼻汁を解決の手段とする。
【発明の効果】
【０００５】  マスクは鼻に花粉が入らないようにするもので花粉の処理は出来ないがこの考案は花粉を吸着してくれる、コンパクトで携帯に便利であり洗い流して、粘着溶液をつけて再利用も可能であり、マスクより目立たない。
【発明を実施するための最良の形態】
【０００６】  以下本発明の実施形態を図１〜図４に基づいて説明する。【０００７】  図において、図１は鼻に装用するゴムチューブ（１）で内部に施された人口鼻毛（２）図２は内部に一体化した鼻毛  図３は鼻に装用するゴムチューブ（３）で  図５は人口鼻毛フイルターブラシ（４）である。
【実施例】
【０００８】  図１のゴムチューブはすでに人口鼻毛が施されているのでこれに鼻汁の代用粘着溶液を塗布し、この考案ゴムチューブを鼻の穴に装用する、チューブとチューブは同一材で繋なぎ細めの目立たない仕様とする、これは鼻に挿入した際、奥に行かないように安全のための繋なぎである。【０００９】  図３のゴムチューブは別の人口鼻毛フイルターブラシ（４）を挿入して鼻汁の代用粘着溶液を付けゴムチューブに装着し鼻の穴に装用する。
【図面の簡単な説明】
【００１０】
【図１】  本発明の実施形態を示す拡大外観図
【図２】  チューブ（１）の拡大縦横断面図
【図３】  本発明の実施形態を示す拡大外観図
【図４】  チューブ（３）の拡大縦横断面図
【図５】  鼻毛フイルターブラシ（４）をチューブ（３）に挿入した拡大縦横断図
【符号の説明】
【００１１】（１）  鼻毛と一体化のチューブ
（２）  人口鼻毛
（３）  チューブ
（４）  鼻毛フイルターブラシ
【図１】
2009207854.tif 000003
【図２】
2009207854.tif 000004
【図３】
2009207854.tif 000005
【図４】
2009207854.tif 000006
【図５】
2009207854.tif 000007
(57)【要約】      （修正有）【課題】軽くて装着が容易であり、移動や仕事をしながらでも手軽に按摩効果を発揮することが出来る按摩器を提供する。【解決手段】身体に捲き付ける構造のしたバンド帯内部にモーター３と駆動部を設置できる外枠にモーター３と円盤状の回転体取り付けた駆動部を内蔵したバンド帯で疾患部に捲き付けてモーターを駆動させれば円盤状の回転体７が連動してバンド内部で凸凹運動を繰り返して按摩することを特徴としたバンド型身体捲き付け自動アンマ器。【選択図】図１
2009207859.tif 000002
【特許請求の範囲】
モーターが設置できる外枠を設け、この外枠中央で分離された左右の外枠から構成され、各外枠にそれぞれモーターと、このモーターによって回転するシャフトを軸支市、このシャフトに一定間隔を置いて吹く隣接する各々回転円盤が重なることなく交互にと出するように相互にずらした位置に取り付けると共に、前左右の外枠に蝶版等によって連結するように構成して容易に折れる構造とした按摩器本体を身体捲き付け可能なバンド帯の内部に内蔵して身体に捲き付け前期固定円盤の回転に連動して前期回転円盤を交互に疾患部に押し当てるように構成したことを特徴とした「バンド型身体捲き付け自動アンマ器」
【発明の詳細な説明】
本発明は軽くて装着が容易であり、移動や仕事をしながらでもアンマ効果の発揮できるものであり以下にわたって図面を参照しながら説明する。まず図１の正面図で示すように外枠（１）と蝶版（２）で連結して取り付け体に密着するように外枠（１）が容易に折れる構造とする。次に左右の外枠（１）それぞれの中央部にモーター（３）を取り付け、このモーター（３）にカップリング（７）を介してシャフト（４）にこていえんばん（５）を一定間隔に固定すると共に、その各固定円盤（５）の外周よりにそれぞれ左右一体の回転円盤（６）を枢着している。この回転円盤（６）はやや厚みのある外形が丸みを帯びて者やゴム等またはこれに類するものが望ましい。又図２に示すように、回転円盤（６）は前記固定円盤（５）より径が小さく、固定円盤（５）の外周から回転円盤（６）の外周の一部が突出するようにして回転軸（８）により、１８０度の間隔毎に枢着されている。更にその固定円盤（５）に取り付けられる各回転円盤（６）は、前記シャフト（４）の軸方向において隣接する各回転円盤（６）が相互に重なることなく交互に突出するようにずらした位置に取り付けられており、本実施例では図１などで示すように、隣接する各回転円盤（６）は９０度の位相差を保って固定円盤（５）と回転円盤（６）によって凝った部分（疾患部）をマッサージするための按摩本体部を構成する図１、図２を構成した本体を身体に捲き付ける構造のしたバンド状の着用帯に内蔵して、身体に捲き付けて本発明を始動させれば凝った疾患部は完全に密着して移動や仕事をしながらでも、快適に按摩をすることの出来る「バンド型身体捲き付け自動アンマ器」を提供するものである。
【図面の簡単な説明】
【図１】は本体正面図、
【図２】は固定円盤と回転円盤を組み合わせた平面図、
【図３】は主婦が本発明の按摩器を着用して歌を歌っている斜視図、
【符号の説明】
（１）外枠（２）蝶版（３）モーター（４）シャフト（５）固定円盤（６）回転円盤（７）カップリング（８）回転軸（９）按摩器本体（１０）電源
【図１】
2009207859.tif 000003
【図２】
2009207859.tif 000004
【図３】
2009207859.tif 000005
(57)【要約】【課題】  市販既製品車椅子は、折りたためる構造から、座面、背面には、布地にて製作されている。このため、人が座位をとると、自重により布地がたわみを生じ、座位の姿勢が崩れる。特に、自己にて、体動できないもしくはできにくい方に、見られやすい。姿勢が崩れることで、身体の変形を進めてしまったり、食事の際の誤嚥を生じることなどの予防が必要であった。【解決手段】車椅子座面のたわみを無くすために、臀部の位置に板を敷くことで、板でたわみをとり、姿勢の傾きをとり姿勢保持をする。板に関しては、乗り降りの際、板がずれたりすることで、転倒を生じないよう左右前後に、ベルト取り付け穴を設け、ベルトを取り付け車椅子に固定できるようにした。ベルトの固定は、バッグのショルダーなどに用いる固定具を利用し、長さ調整でき車椅子の各サイズに対応できるようにした。【選択図】図３
2009207851.tif 000002
【特許請求の範囲】
【請求項１】
車椅子座面に人が座位を取った際に、自重による座面のたわみで身体が傾くのを防ぐ、座面のたわみを取る板と、それを固定するベルトにて構成される姿勢保持板。
【発明の詳細な説明】
【技術分野】
【０００１】  本発明は、既製品車椅子使用時の身体の傾きを防ぐ福祉用具に関する。
【背景技術】
【０００２】  既製品車椅子は、保管しやすいように、座面、背面に布地を使用し、折りたためる構造となっている。
【発明の開示】
【発明が解決しようとする課題】
【０００３】  上記にて述べた構造であると、布地を使用しているため、人が座位を取った際に、自重にて、たわみを生じてしまい、身体の傾きを生じさせてしまうものである。【０００４】  本発明は、従来の使用方法にて生じる身体面への影響、食事の際の誤嚥や身体変形の進みなどを改善することを目的とするものである。
【問題を解決するための手段】
【０００５】  本発明は、上記の問題を解決するため、臀部が乗る面積分の板を座面に置くことで、たわみを無くすこととした。
板の固定方法は、ベルトを用いて各サイズの車いすに対応できるように、調整できるようにしている。
また、車椅子は、折りたたみ構造であることから、板の取り外しができるように、ベルトの端部に脱着式固定具を用いる。
【発明の効果】
【０００６】  車椅子の座面に板を敷くことで、座面が安定し、身体の姿勢も安定する。
正常な姿勢が保持できることで、食事の誤嚥防止、転落事故防止、身体変形のすすみ予防などの効果が期待できる。
車椅子を自走できる方の場合、板が座面からズレ落ちる恐れがあるが、ベルトで固定す事で、転倒防止を図ることができる。
介助者の関しては、脱着式とすることで、車椅子の保管時に不具合生じないものとした。
【発明の実施するための最良の形態】
【０００７】  図において、板は、耐摩耗性に優れたＰＯＭ（ジュラコン）板を使用し、四隅は、車椅子への破損防止に、角部に曲面をつけている。
板表面には、左右、前後に２か所、１のベルトを通す穴を設置。
【０００８】  ２は、車椅子に固定するベルトで、５センチ幅のＰＰベルトを使用。
板側は、穴に通し２か所カシメで固定する。
【０００９】  ベルトの端部は、脱着式固定具（３，４）を付ける、４は、ベルトをカシメで固定とし、３で車椅子の長さが調整できるようにしている。
【図面の簡単な説明】
【００１０】
【図１】  姿勢保持板の平面図
【図２】  姿勢保持板のＡ−Ａ断面図
【図３】  姿勢保持板の全体図
【符号の説明】
【００１１】  １  ベルト通し穴
２  ＰＰベルト（５センチ幅）
３  脱着式固定具オス
４  脱着式固定具メス
【図１】
2009207851.tif 000003
【図２】
2009207851.tif 000004
【図３】
2009207851.tif 000005
(57)【要約】【課題】成形性を低下させず、打球音を良好にした軽量かつ大径のゴルフボールを提供する。【解決手段】ゴルフボールの直径を４３〜５０ｍｍ、かつ重量を４５．９３ｇ以下となるようにすると共に、コアを構成するゴム組成物１００重量部に対してガラス製の中空粒子５〜５０重量部を配合する。【選択図】なし【特許請求の範囲】
【請求項１】
ゴム組成物からなるコアと、該コアを被覆する樹脂からなるカバーとから構成されるゴルフボールであって、
前記ゴルフボールの直径が４３〜５０ｍｍ、重量が４５．９３ｇ以下となるようにすると共に、前記ゴム組成物１００重量部に対してガラス製の中空粒子５〜５０重量部を配合したゴルフボール。
【請求項２】
前記ガラス製の中空粒子の平均粒径を１０〜１００μｍ、圧壊強度を１０ＭＰａ以上とした請求項１に記載のゴルフボール。
【発明の詳細な説明】
【技術分野】
【０００１】
本発明はゴルフボールに関し、更に詳しくは、成形性を低下させず、打球音を良好にした軽量で大径のゴルフボールに関する。
【背景技術】
【０００２】
一般にゴルフボールの直径は、小さくなるほど空気抵抗が低くなって飛びやすくなるため、１.６８インチ（４２.６７ｍｍ）以上とすることが規格により定められている。そのため、市販のゴルフボールのほとんどは、この下限値を直径としている。しかしながら、ゴルフボールの直径を大きくすると、飛距離の点では不利になるが、目視しやすくかつゴルフクラブで芯を捉えやすくなるため、特に女性や高齢者のプレイヤーにとって打ちやすいものとなる。そのため、女性や高齢者向けとして大径のゴルフボールが市販されるようになっている。
【０００３】
この大径ゴルフボールについては、従来のゴルフボールをそのまま大径化したのでは、ゴルフボールの重量の上限を１.６２オンス（４５.９３ｇ）とする規格に抵触する可能性があるため、特許文献１などに記載されているように、ゴルフボールのコアに軽量化材料を配合することが行われているが、軽量化材料がコアのゴム組成物の架橋反応を妨げて成形性が低下するという問題があった。
【０００４】
一方、大径のゴルフボールを使用する女性や高齢者などのプレイヤーにとっては、ゴルフボールの打ちやすさと共に打球音が、プレーで満足感を得る上で大きな要因を占めている。打球音については、これまでは特許文献２などに記載されているように、ゴルフクラブの改良により改善が図られてきた。しかし、多くの女性や高齢者などのプレイヤーは、通常のゴルフクラブを使用することから、打球音が良好な大径ゴルフボールが望まれている。
【特許文献１】特開２００２−１７８９６号公報
【特許文献２】特開２００４−１８８２２１公報
【発明の開示】
【発明が解決しようとする課題】
【０００５】
本発明の目的は、成形性を低下させず、打球音を良好にした軽量かつ大径のゴルフボールを提供することにある。
【課題を解決するための手段】
【０００６】
上記の目的を達成する本発明のゴルフボールは、ゴム組成物からなるコアと、該コアを被覆する樹脂からなるカバーとから構成されるゴルフボールであって、前記ゴルフボールの直径が４３〜５０ｍｍ、重量が４５．９３ｇ以下となるようにすると共に、前記ゴム組成物１００重量部に対してガラス製の中空粒子５〜５０重量部を配合したことを特徴とするものである。
【０００７】
ガラス製の中空粒子の平均粒径は１０〜１００μｍ、圧壊強度は１０ＭＰａ以上とすることが望ましい。
【発明の効果】
【０００８】
本発明のゴルフボールによれば、ゴルフボールの直径が４３〜５０ｍｍ、重量が４５．９３ｇ以下となるようにすると共に、前記ゴム組成物１００重量部に対してガラス製の中空粒子５〜５０重量部を配合したので、コアを構成するゴム組成物の架橋反応を妨げることなくコアの硬度を高くすることができるため、成形性を低下させず、打球音を良好にした軽量かつ大径のゴルフボールを提供することができる。
【発明を実施するための最良の形態】
【０００９】
以下に、本発明のゴルフボールについて詳細に説明する。
【００１０】
本発明のゴルフボールは、ゴム組成物からなるコアと、そのコアを被覆する樹脂からなるカバーとから構成される。このゴルフボールの直径は４３〜５０ｍｍであり、規格が定める下限値である４２.６７ｍｍよりも大径なゴルフボールとなっている。また、ゴルフボールの重量は４５．９３ｇ以下であり、同じく規格が定める上限値以下となっている。なお、カバー材料には、アイオノマー樹脂を主成分とする樹脂が好ましく用いられる。
【００１１】
コアを構成するゴム組成物には、ガラス製の中空粒子がゴム組成物１００重量部に対して５〜５０重量部、望ましくは５〜３０重量部配合されている。配合量が５重量部未満であるとコアの硬度が低くなるためインパクトの際の打球音が悪くなり、５０重量部を超えると中空粒子がゴム組成物の架橋反応を妨げるため成形性が低下する。
【００１２】
なお、コアを構成するゴム組成物は、特に限定するものではないが、ゴルフボールが備えるべき反発性などの性能を考慮すると、シス１.４結合を有するポリブタジエンゴム１００重量部に対して、アクリル酸亜鉛を１０〜４０重量部、有機過酸化物を１〜５重量部、及び酸化亜鉛を１０重量部以下を、それぞれ配合したものが例示される。
【００１３】
このように、ゴルフボールの直径が４３〜５０ｍｍ、重量が４５．９３ｇ以下となるようにすると共に、コアを構成するゴム組成物１００重量部に対してガラス製の中空粒子５〜５０重量部を配合したことにより、ゴルフボールの軽量化と大径化を図りつつ、コアを構成するゴム組成物の架橋反応を妨げることなくコアの硬度を高くすることができるため、成形性を低下させず、打球音を良好にすることができる。
【００１４】
ガラス製の中空粒子としては、平均粒径が１０〜１００μｍ、圧壊強度が１０ＭＰａ以上であるものを用いることが望ましい。平均粒径が１０μｍ未満又は１００μｍ超であると、中空粒子がコア内で均一に分散しにくくなるため、ゴルフボールの対称性に関する規定に抵触する。また、圧壊強度が１０ＭＰａ未満だと、ゴルフボールの成形の際に中空粒子が破損する。
【実施例】
【００１５】
直径、重量、コア材料及びカバー材料を共通にして、ガラス製の中空粒子の配合量を表１の記載のように異ならせた本発明ゴルフボール（実施例１、２）及び比較ゴルフボール（比較例１〜３）を製作した。
【００１６】
これらのゴルフボールについて、以下の測定方法により打球音とゴルフボールの成形性の評価を行い、その結果を表１に記載した。
【００１７】
［打球音］
半無響室においてスイングロボットによりゴルフボールの試打を行い、ダミーヘッドに設置した集音マイクでインパクトの際の打球音の大きさと周波数を測定した。評価は比較例１の打球音の測定値を１００とする指数で示した。打球音の大きさと周波数の両方の指数が大きいほど打球音が良好であることを意味する。
【００１８】
［成形性］
コア材料となるゴム組成物の混合工程において、混合状態が良好なものを○で、明らかな混合不良が発生したものを×で、それぞれ示した。
【００１９】
【表１】
2009207823.tif 000002
【００２０】
表１に示す試験結果から、実施例のゴルフボールは比較例のゴルフボールに比べて、成形性が低下せず、しかも打球音の大きさと周波数がともに増加することが分かる。
(57)【要約】【課題】  剃刀の掃除が簡単かつきれいにできるようにする。【解決手段】  剃刀のカバー（１）の上部にブラシ（２）を設ける。【選択図】図１
2009207849.tif 000002
【特許請求の範囲】
【請求項１】
（ａ）２刃式また２刃以上式の電源を使わない剃刀本体
（ｂ）剃刀の刃の部分につけるカバー
（ｃ）剃刀カバーにブラシを設けて、剃刀の掃除をきれいにする用具。
カバー（１）の先にブラシ（２）を設けたことを特徴とした剃刀ブラシ。
【発明の詳細な説明】
【技術分野】
【０００１】環境汚染を防ぐと同時にエネルギーの節約
【発明の開示】
【発明が解決しようとする課題】
【０００２】現在の水で洗う方法では剃刀をきれいに掃除できない。それで、別途歯ブラシなど用意して掃除する時もある。また、きれいに掃除するのが面倒なので、使い捨てとしてホテルなどで使用されているがこれは環境問題を招く。
本発明は、これらの欠点を除くためになされたものである。
【課題を解決するための手段】
【０００３】剃刀のカバーの上部にブラシを設ける。ブラシは歯ブラシのようになっているが、数列の毛の配列を特徴とする。
【発明の詳細な説明】
【産業上の利用分野】
【０００４】この発明は、２刃式または２刃以上の剃刀を掃除するブラシに関するものである。
【背景技術】
【０００５】現在２刃式または２刃以上剃刀にはブラシがついてない。
【作用】
【０００６】１）  剃刀のカバーとして使用する。
２）  シェービング時にはカバーをはずす。
３）  シェービング後、カバーに付いたブラシできれいに掃除する。
【実施例】
【０００７】普通の剃刀にカバーブラシをつける。図３を参照。
【発明の効果】
【０００８】剃刀の掃除が簡単できれいにできて、使い捨てを防ぐことで環境保護になる。また、電源を使用しないのでエネルギー節約の効果ももたらす。
【図面の簡単な説明】
【０００９】
【図１】本発明の斜視図
【図２】本発明の斜視図
【図３】本発明の実施例を示す斜視図
【符号の説明】
【００１０】１  カバー
２  ブラシ
３  剃刀
４  剃刀ホルダ
【図１】
2009207849.tif 000003
【図２】
2009207849.tif 000004
【図３】
2009207849.tif 000005
(57)【要約】【課題】  フェイスパックの美容成分が浸透する時間に、顔のマッサージが行なえるよう、フェイスパックの外側の面につぼマッサージ方法の印を設けた、つぼマッサージ方法の印つきフェイスパックを提供する。【解決手段】  フェイスパック（１）外側の面に、つぼマッサージ方法の印（６）を設け、目の穴（３）、鼻の穴（４）、口の穴（５）を設け、顔の凹凸にフィットさせるための切り込み（２）を設けた、つぼマッサージ方法の印つきフェイスパックを特徴とする。【選択図】図１
2009207850.tif 000002
【特許請求の範囲】
【請求項１】
フェイスパック（１）外側の面に、つぼマッサージ方法の印（６）を設け、目の穴（３）、鼻の穴（４）、口の穴（５）を設け、顔の凹凸にフィットさせるための切り込み（２）を設けた、つぼマッサージ方法の印つきフェイスパック。
【発明の詳細な説明】
【技術分野】
【０００１】  本発明は、フェイスパックの外側の面に、つぼとマッサージ方法を印した、つぼマッサージ方法の印つきフェイスパックに関するものである。
【背景技術】
【０００２】  従来、つぼとマッサージ方法の印されたフェイスパックはなかった。
【発明の開示】
【発明が解決しようとする課題】
【０００３】  これは、次のような欠点があった。
従来、フェイスパックは１０分から１５分間、顔に張り付け内側の美容成分を肌に浸透させるだけであった。そのフェイスパックの外側の面は無地で、つぼを見つけにくく美容成分の浸透する時間に、顔をマッサージするのに困ることが多かった。本発明は、この課題を解消するためになされたものである。
【課題を解決するための手段】
【０００４】  フェイスパック（１）外側の面に、つぼマッサージ方法の印（６）を設け、目の穴（３）、鼻の穴（４）、口の穴（５）を設け、顔の凹凸にフィットさせるための切り込み（２）を設ける。
本発明は、以上の構成によりなる、つぼマッサージ方法の印つきフェイスパックである。
【発明の効果】
【０００５】  美容成分を含んだフェイスパックの外側の面に、つぼとマッサージ方法の印をつけることによって、フェイスパックを装着したまま顔のマッサージができるので、外した後にマッサージする手間が省ける。
また、フェイスパックには、フィットさせるための切り込みがあるため、マッサージしてもずれることがない。
しかも、つぼを探す手間が省け、マッサージする際の指使い手の動きが印されているので、鏡などを見ながら顔をマッサージするのになんら差し支えない。
【発明を実施するための最良の形態】
【０００６】  以下、本発明を実施するための最良の形態について説明する。
フェイスパック（１）外側の面に、つぼマッサージ方法の印（６）を印字する。
フェイスパック（１）に、目の穴（３）、鼻の穴（４）、口の穴（５）を開ける。
フェイスパック（１）に、顔の凹凸にフィットさせるための切り込み（２）を入れる。
本発明は、以上のような構造である。
これを使用するときには、このフェイスパックを顔に貼り付け、内側の美容成分が肌に浸透している間に、鏡などを見ながら外側に印されている方法どおりに、顔をマッサージすればいい。
【図面の簡単な説明】
【０００７】
【図１】  本発明を示した正面図である。
【図２】  本発明を装着した状態を示した正面図である。
【符号の説明】
【０００８】  １  フェイスパック
２  顔の凹凸にフィットさせるための切り込み
３  目の穴
４  鼻の穴
５  口の穴
６  つぼマッサージ方法の印
【図１】
2009207850.tif 000003
【図２】
2009207850.tif 000004
(57)【要約】【課題】ノートパソコンをパソコンバッグやインナーケースから取り出す手間、ノートパソコンを安定な位置に置き、座って打ち込む手間を省く、ベルトつきノートパソコンケースを提供する。【解決手段】パソコンケース（１）の四隅に手カン（２）を取り付け、手カン（２）にナスカンつきベルト（４）を取り付けた、ベルトつきノートパソコンケースを特徴とする。【選択図】図１
2009207862.tif 000002
【特許請求の範囲】
【請求項１】
パソコンケース（１）の四隅に手カン（２）を取り付け、手カン（２）にナスカンつきベルト（４）を取り付けたベルトつきノートパソコンケース。
【発明の詳細な説明】
【技術分野】
【０００１】この発明は、パソコンケースの四隅に手カンを取り付けてあり、ナスカンつきベルトの付け替えによってショルダーバッグ型になったり、ケースのファスナーを開けるだけでどこでもすぐにその場でノートパソコンが使用できる、ベルトつきノートパソコンケースに関するものである。
【背景技術】
【０００２】従来、ノートパソコンを持ち運ぶ方法としては、パソコンバッグを使用するか、パソコン用のインナーケースにいったん収納し、それをバッグに収納して持ち運ぶ方法が存在していた。
【発明の開示】
【発明が解決しようとする課題】
【０００３】これは次のような欠点があった。
従来、外出先でノートパソコンを用いる場合、パソコンバッグやインナーケースからノートパソコンを取り出す必要があり、不便であったし、誤ってノートパソコンを落としてしまう危険性もはらんでいた。また、ノートパソコンに安定した姿勢で打ち込むためには、打ち込む人自身は座り、ノートパソコンは膝上や安定した台の上に置く必要があり、座る物のない場所や、安定した台がないところではノートパソコンに打ち込むのは困難であった。本発明は、以上のような欠点をなくすためになされたものである。
【課題を解決するための手段】
【０００４】パソコンケース（１）の四隅にベルトを取り付けるための手カン（２）を取り付け、手カン（２）にナスカンつきベルト（４）を取り付ける。
本発明は、以上の構成よりなるベルトつきノートパソコンケースである。
【発明の効果】
【０００５】本発明は以上の構成を採用した結果、次のような効果を得ることができる。
外出先でノートパソコンを用いる場合に、バッグからノートパソコンを取り出し膝上や安定な台の上に配置する手間が省け、ベルトを取り付ける手カンを変えるだけで容易にショルダーバッグ型としてもノートパソコンを置く台としても用いることができ、座っているときはもちろんのこと立ったままでも安定な姿勢でパソコンに文字を打ち込むことができる。また、この手カンをつけかえる動作はベルトを肩にかけたまま行えるため、ノートパソコンを落としてしまうといった、従来のようにバッグやインナーケースから取り出す際の危険性を回避できる。
【発明を実施するための最良の形態】
【０００６】次に、本発明を実施するための最良の形態について、図１〜図６に基づき説明する。このベルトつきノートパソコンケースは、パソコンケース（１）の四隅に取り付けられた、ベルトを取り付けるための手カン（２）、手カン（２）に対し取り外し可能なナスカンつきベルト（４）で構成されている。ナスカンつきベルト（４）は長さ調整具（５）がついたものである。パソコンケース（１）は衝撃吸収に加え、パソコン使用時の安定とパソコン本体の放熱に配慮し、ハードタイプの衝撃吸収材を用いる。ノートパソコンを持ち運ぶ際には図１のようにパソコンケース（１）に取り付けてある、隣り合った手カン（２）にナスカンつきベルト（４）をとりつけ、図４のようにそのままショルダーバッグ型として用いることができる。ノートパソコンを使用する際には図３のように、パソコンケース（１）の対角線上に位置する手カン（２）にナスカンつきベルト（４）を付け替え、図２のようにパソコンケース（１）を開き、パソコンケース（１）自体を安定した台として、図５のように立ったままの姿勢でも、図６のように座っている姿勢でも、安定した姿勢でノートパソコンに文字を打ち込むことができる。
【図面の簡単な説明】
【０００７】
【図１】本発明の正面図である。
【図２】本発明の斜視図である。
【図３】本発明の斜視図である。
【図４】本発明の使用状態を示す正面斜視図である。
【図５】本発明の使用状態を示す正面斜視図である。
【図６】本発明の使用状態を示す正面斜視図である。
【符号の説明】
【０００８】１  パソコンケース
２  手カン
３  ナスカン
４  ナスカンつきベルト
５  長さ調整具
６  ファスナー
【図１】
2009207862.tif 000003
【図２】
2009207862.tif 000004
【図３】
2009207862.tif 000005
【図４】
2009207862.tif 000006
【図５】
2009207862.tif 000007
【図６】
2009207862.tif 000008
(57)【要約】【課題】  魚焼き器の使用時に焼きもの調理用物質を使うことで毎回大変な後処理をしなくても衛生的かつ簡潔で防臭でき快適に料理できる手段を提供する。【解決手段】  不燃性物質とコーヒー粕を混ぜた混合物、あるいは固化しマット状に整形したもの、上記を耐熱性容器に入れたものを使って衛生的かつ使用上簡単便利で地球環境にやさしい調理用物質を提供する。焼き物調理用物質の素材、方法、形態は改良していけるものとする。魚だけでなく他のものにも使用できる。使用後は養分豊富な植木用土として利用できる。【選択図】図１
2009207870.tif 000002
【特許請求の範囲】
【請求項１】
コーヒー粕と不燃性物質を主成分とする魚肉類の加熱調理器における油脂吸収保持剤。
【発明の詳細な説明】
【技術分野】
【０００１】  本発明は魚を焼く際の悪臭を防ぎ、使用後の付着悪臭、洗浄処理を要しない調理器具に関するものである。
【背景技術】
【０００２】  従来のプレートに水を入れた方法だと使用の度に水を入れ、終わると油で汚れたプレートの水をこぼさないように注意しながら取り出しその汚れを洗うという手間を要した。その上、使用時だけでなく焼いた後もいつまでも部屋に匂いがこもり不快であった。
【発明の開示】
【発明が解決しようとする課題】
【０００３】  従来の方法では使用者は大変な労力そして不便、不潔、臭いによる不快等の問題があった。本発明はこれらの問題点を解決するためになされたものである。
【課題を解決するための手段】
【０００４】  本発明はコーヒー粕と不燃性物質を主成分とする魚肉類の加熱調理器における油脂吸収保持剤である。【０００５】  本発明は上述した問題点を解決するために従来の水に変えてコーヒー粕と不燃性物質を主成分とする油脂吸収保持剤を使用するものであり廃物利用で地球環境によく経済的、衛生的、簡潔的に行うものである。【０００６】  本発明の油脂吸収保持剤は、使用時にコーヒー粕が発火しない程度に不燃性物質を混入したものであり、形状は粒状又はそれを固めたマット状でも良い。更に、オーブントースターやオーブンレンジのように水を入れる場所が無いものは、アルミニューム、ステンレス等耐熱板で容器を作り、その中にコーヒー粕と不燃性物質の油脂吸収保持剤を入れたものを使用しても良い。素材、方法、形態は改良するものとする。【０００７】  オーブントースター、オーブンレンジにも耐熱板容器を使用し焼き料理全般に使えるようにする。効果は長続きするので使用の度に交換する必要はない。使用後は養分豊富な植木用土として利用できる。
【発明の効果】
【０００８】  本発明は使用時毎回手を汚すことなく簡潔で便利、衛生的に特に悪臭の問題も解決できる。【０００９】  効果は長続きするので頻繁に交換する必要はなく経済的である。
【発明を実施するための最良の形態】
【００１０】  本発明における実施の形態については図１−図３を参照に詳細に説明する。本発明は衛生的かつ使用簡単、便利、地球環境にやさしいことを特徴とし、素材、方法、形態等は改良していけるものとする。
【実施例】
【００１１】  図１（イ）は、網２の上部にヒーター１を設け、下部の付帯皿５にコーヒー粕４と不燃性物質３を混合した粒を入れた片面グリルである。コーヒー粕４と不燃性物質粒３は粒であるので、受け皿の形、大きさに関係なくフィットする。（ロ）は、網２の上下にヒーター１を設け、下部ヒーター１の下部の付帯皿５にコーヒー粕４と不燃性物質粒３を混合した粒を入れた両面グリルである。コーヒー粕４と不燃性物質粒３は粒であるので、（イ）と同様に受け皿の形、大きさに関係なくフィットする。コーヒー粕と不燃性物質を７：３の割合で混合した実験の結果は、悪臭は無く、使用後は洗う必要も無く、難なく料理でき、調理器の処理が苦にならなかった。【００１２】  図２は、コーヒー粕４と不燃性物質粒３を混合し、成形して整形マット６にして使用する場合である。取り扱いが便利になる。【００１３】  図３は、オーブントースター、オーブンレンジなど受け皿のない場合は、耐熱容器７の中に、コーヒー粕４と不燃性物質粒３の混合した粒、又は成形した整形マット６を入れて使用する。
【図面の簡単な説明】
【００１４】
【図１】（イ）（ロ）ともグリルに粒を使用したときの側面図。
【図２】グリルに整形マットを使用したときの側面図。
【図３】オーブンに耐熱容器と共に使用したときの側面図。
【符号の説明】
【００１５】    １  ヒーター
２  網
３  不燃性物質粒
４  コーヒー粕
５  付帯皿
６  固化し、マット状に整形したもの
７  耐熱性板で作った容器
【図１】
2009207870.tif 000003
【図２】
2009207870.tif 000004
【図３】
2009207870.tif 000005
(57)【要約】【課題】指定した制限サイズ内の最高画質のスキャンイメージを簡単な操作手順で取得できるスキャナ装置を提供する。【解決手段】１度目のスキャンで最適な解像度を算出し、その解像度を用いて２度目のスキャンを実行する。このことにより解像度の設定を意識することなく最高画質のスキャンイメージを取得することが可能になる。【選択図】図１
2009207019.tif 000002
【特許請求の範囲】
【請求項１】
読み取り手段によってスキャンサイズを取得し、スキャンした用紙を一時トレイに蓄積する手段と、
読み取りの制限サイズを保存し、その保存した制限サイズとスキャンしたイメージのスキャンサイズを比較した場合、前記スキャンサイズが、前記制限サイズを超えていた場合に、予め設定した最大制限サイズを超えない解像度を算出する手段と、
一時トレイの用紙をローラーの回転を逆にすることによって読み取り部を再度通過する手段と、
前記解像度を設定してスキャンイメージを読み込む手段を備えることを特徴とするスキャナ装置。
【請求項２】
請求項１記載のスキャナ装置において、表示部に前記解像度と原稿の再読み取りを促すメッセージを表示する手段と、給紙部に手動で再セットされた原稿を操作部で指示することにより、最適な解像度を用いて再度スキャンを開始する機能を備えることを特徴とするスキャナ装置。
【発明の詳細な説明】
【技術分野】
【０００１】
本発明は、スキャン機能をサポートしたスキャナおよびコピー機、ＦＡＸなどにおいてスキャンサイズの制限かつ解像度の設定が可能なスキャナ装置に関する。
【背景技術】
【０００２】
スキャナ装置では読み込むイメージの制限サイズを設定した場合、スキャン結果が制限サイズを超えた場合にはデータファイルを分割するか、送信者によって解像度をカスタマイズする必要があった。例えば、従来技術には、以下の特許文献１（特開２００４−８８６１３号公報）および特許文献２（特開２００７−６７８０７号公報）が挙げられる。
【０００３】
【特許文献１】特開２００４−８８６１３号公報
【特許文献２】特開２００７−６７８０７号公報
【発明の開示】
【発明が解決しようとする課題】
【０００４】
従来の技術では、制限サイズを超えないように画像の解像度を下げてスキャンしなければならなかった。このときのパラメータは制限サイズ内の最高画質となる解像度かどうか判別できなかった。また最大の解像度を指定したい場合は、最適な解像度を見つけるまで設定を下げながらスキャン操作を繰り返さなければならなかった。
【０００５】
本発明の目的は、指定した制限サイズ内の最高画質のスキャンイメージを簡単な操作手順で取得することのできるスキャナ装置を提供することにある。
【課題を解決するための手段】
【０００６】
上記目的を達成するために本発明の第１の手段は、読み取り手段によってスキャンサイズを取得し、スキャンした用紙を一時トレイに蓄積する手段と、
読み取りの制限サイズを保存し、その保存した制限サイズとスキャンしたイメージのスキャンサイズを比較した場合、前記スキャンサイズが、前記制限サイズを超えていた場合に、予め設定した最大制限サイズを超えない解像度を算出する手段と、
一時トレイの用紙をローラーの回転を逆にすることによって読み取り部を再度通過する手段と、
前記解像度を設定してスキャンイメージを読み込む手段を備えることを特徴としている。
【０００７】
本発明の第２の手段は表示部に前記解像度と原稿の再読み取りを促すメッセージを表示する手段と、給紙部に手動で再セットされた原稿を操作部で指示することにより、最適な解像度を用いて再度スキャンを開始する機能を備えることを特徴としている。
【発明の効果】
【０００８】
本発明は前述のような構成になっており、複数枚のスキャンなど合計サイズの推測が難しいスキャナ装置において、解像度の設定を意識することなく最高画質のスキャンイメージの取得できる。また自動で最大の解像度が取得できるため、操作手順の簡略化が図れる。
【発明を実施するための最良の形態】
【０００９】
本発明は、パラメータを意識せずに制限サイズ内の最大解像度を取得するために、１度目のスキャンで取得した最適な解像度を２度目のスキャンに使用することで実現した。
【００１０】
本発明は図１の構成概略図に示すように、給紙部兼排紙トレイ１および一時トレイ６、ローラー７を用いて搬送経路２上で原稿を往復させる手段と読み取り手段３および最適解像度算出手段４、制限サイズ保存手段５を用いて最適な解像度を算出する手段によって制限されたサイズ内で最高画質のスキャンイメージを取得できるスキャナ装置である。図２のフローチャートに従い具体的な実施例について以下に説明する。
【００１１】
スキャン対象の原稿を給紙部兼排紙トレイ１にセットする（Ｓ１０１）。
【００１２】
スキャン開始の要求により、給紙部兼排紙トレイ１から搬送経路２を経由して読み取り手段３へ原稿を搬送する（Ｓ１０２）。
【００１３】
読み取り手段３は、原稿の一時読み取りを実施する（Ｓ１０３）。
【００１４】
読み取りが完了した原稿は、一時トレイ６に搬送され格納される（Ｓ１０４）。
【００１５】
読み取りサイズが制限サイズを超えるか判定し（Ｓ１０５）、超えた場合は読み込んだデータサイズ情報を最適解像度算出手段４へ通知する（Ｓ１０６）。
【００１６】
全ての原稿のデータサイズを受け取った最適解像度算出手段４は、制限サイズ保存手段５からあらかじめ設定された制限サイズを取得し（Ｓ１０７）、制限サイズ内で最高画質となる最適な解像度を算出し（Ｓ１０８）、その値を保存する（Ｓ１０９）。
【００１７】
最適な解像度が求まったことを契機にしてローラー７を逆回転させ、一時トレイ６から搬送経路２上を逆送りさせ、再度読み取り手段３まで原稿を搬送する（Ｓ１１０）。
【００１８】
読み取り手段３は保存された最適な解像度の設定に従い画像の読み取りを実施する（Ｓ１１１）。
【００１９】
原稿を逆方向から読み取っているためイメージデータを反転させ（Ｓ１１２）、スキャン処理を完了させる。
【００２０】
読み取りが完了した原稿は、給紙部兼排紙トレイ１に排紙される（Ｓ１１３）。
【００２１】
このようにして解像度を意識しないでかつ簡単な手順で最適なスキャンデータを取得することができる。
【図面の簡単な説明】
【００２２】
【図１】本発明の実施例に係るスキャナ装置の構成概略図である。
【図２】そのスキャナ装置の制御フローチャートである。
【符号の説明】
【００２３】
１…給紙部兼排紙トレイ、２…搬送経路、３…読み取り手段、４…最適解像度算出手段、５…制限サイズ保存手段、６…一時トレイ、７…ローラー。
【図１】
2009207019.tif 000003
【図２】
2009207019.tif 000004
(57)【要約】【課題】  キャリブレーションのスケジュールを行うに際し、スケジュール設定のうえで、改善の余地があった。【解決手段】  スキャナからユーザのカレンダーを読み込む。認識手段により営業日と休日を認識する。認識結果からスケジュール変換手段によりユーザオフィススケジュールを生成し、プリンタ内のスケジュールにユーザオフィスの標準運用カレンダー情報を設定する。休みと設定された日にはプリンタの電源はオフとなり、キャリブレーションは行わない。運用時間が設定された日には開始時間に先立ってキャリブレーションが行われ、運用開始時点には必要な精度で調整済みとなっている。【選択図】  図1
2009146290.tif 000002
【特許請求の範囲】
【請求項１】
機器の運用計画をスキャナから読み込んだユーザカレンダーにより設定し、運用開始時間に先立って装置の安定性を確保することを特徴とするキャリブレーション方式及び装置。
【発明の詳細な説明】
【技術分野】
【０００１】
本発明はプリンタ等の入出力機器の安定性を確保するキャリブレーションに関する技術である。
【背景技術】
【０００２】
装置のキャリブレーションを機器予約用電子的スケジュールシステムと連動して事前に行うようなものは従来なかった。特開２００２−２９７３５４、特開２００２−６３００４等はプリントジョブのスケジューリングを行うだけであり、キャリブレーションに関しては考慮していない。特願２００４−１７７３７８ではプリントジョブに対してキャリブレーションのスケジュールを行うが、プリントジョブ発生以前には何もしていない。
【特許文献１】特開２００２−２９７３５４号公報
【特許文献２】特開２００２−６３００４号公報
【特許文献３】特願２００４−１７７３７８号公報
【発明の開示】
【発明が解決しようとする課題】
【０００３】
本発明の目的はジョブが発生してからキャリブレーションを行うとキャリブレーション処理時間が全体のジョブ進行を遅らせてしまうという問題を解決することである。また、本発明が解決しようとする課題はスケジュール設定を容易にすることである。
【課題を解決するための手段】
【０００４】
スキャナからユーザのカレンダーを読み込む。認識手段により営業日と休日を認識する。認識結果からスケジュール変換手段によりユーザオフィススケジュールを生成し、プリンタ内のスケジュールにユーザオフィスの標準運用カレンダー情報を設定する。休みと設定された日にはプリンタの電源はオフとなり、キャリブレーションは行わない。運用時間が設定された日には開始時間に先立ってキャリブレーションが行われ、運用開始時点には必要な精度で調整済みとなっている。
【発明の効果】
【０００５】
本発明によればプリンタを使用する時間帯に先立って、適切なキャリブレーションが実施される。これにより、使用する時点では充分な精度を保っており、頻繁に使用する時間帯にキャリブレーションが起きてプリンタ利用効率を低下させるのを防止することができる。また、ユーザの機器運用計画の設定が容易に出来るという効果がある。
【発明を実施するための最良の形態】
【０００６】
以下図面を用いて本発明の実施例を説明する。
【０００７】
図１は本発明の実施例であるシステムの構成を示すブロック図である。クライアントＰＣ１０とプリンタ１１・スキャナ１５が接続されている。これはネットワーク経由で接続されていても構わない。プリンタ１１は調整手段１２と精度評価手段１３とプリンタの運用計画を示すスケジュール１４を内部に持っている。スキャナ１５は認識手段１６とスケジュール変換手段１７を内部に持っている。図ではスケジュール１４をプリンタ側にスケジュール変換手段１７をスキャナ側に持たせているが、本発明はこの構成に限定しないものである。プリンタ１１とスキャナ１５は一体型の装置であっても良いし、別々の装置であっても良い。
【０００８】
図２は本発明の実施例であるスケジュール生成の全体像を示すブロック図である。
【０００９】
ユーザカレンダー２０をスキャナ１５から読込みスキャン画像２１を得る。次にスキャン画像２１を認識手段１６により認識し、認識結果２２を得る。これによりユーザオフィスの出勤日、休日の情報が得られる。この認識結果２２と別途ユーザにより設定されたユーザ登録情報２３を使ってスケジュール変換手段１７によりスケジュールデータ２４が生成され、スケジュール１４に設定される。
【００１０】
図３は本発明の実施例であるキャリブレーション実施手順を示すフローチャートである。
【００１１】
（ステップ３０）当日のプリンタの運用計画に対して、要求精度を満たすための調整時間を勘案した時に、現時点が調整開始時間になっているかを判定する。調整開始時間にまだ達していなければ終了し、達していればステップ３１へ進む。
【００１２】
（ステップ３１）プリンタの現状精度が要求精度を満足させているかを精度評価手段１３により判定する。満足であれば終了し、そうでなければステップ３２へ進む。
【００１３】
（ステップ３２）プリンタの要求精度を満たすための調整を調整手段１２により実施する。
【図面の簡単な説明】
【００１４】
【図１】本発明の実施例であるシステムの構成を示すブロック図。
【図２】本発明の実施例であるスケジュール生成の全体像を示すブロック図。
【図３】本発明の実施例であるキャリブレーション実施手順を示すフローチャート。
【符号の説明】
【００１５】
１０  クライアントＰＣ
１１  プリンタ，
１２  調整手段
１３  精度評価手段
１４  スケジュール，
１５  スキャナ
１６  認識手段
１７  スケジュール変換手段，
２０  ユーザカレンダー
２１  スキャン画像
２２  認識結果
２３  ユーザ登録情報
２４  スケジュール設定ＵＩ例
３０〜３２  フローチャートのステップ
【図１】
2009146290.tif 000003
【図２】
2009146290.tif 000004
【図３】
2009146290.tif 000005